(57)【要約】【課題】電源ラインのノイズにより光モジュールの処理部に異常が生じた場合に、該異常を早期に復旧する。【解決手段】光通信装置１０は、光モジュール１２に異常が発生した場合に警報を発出する警報発出部３４を備える光モジュール１２と、光モジュール１２に接続された電源ライン１８と、電源ライン１８のノイズを検出するノイズ検出部２０と、警報発出部３４からの警報発出とノイズ検出部２０によるノイズ検出とが同時に起こった場合、光モジュール１２をリセットするリセット部２２とを備える。【選択図】図１
2016116064.tif 000002
【特許請求の範囲】
【請求項１】
光信号を送受信する光モジュールであって、当該光モジュールに異常が発生した場合に警報を発出する警報発出部を備える光モジュールと、
前記光モジュールに接続された電源ラインと、
前記電源ラインのノイズを検出するノイズ検出部と、
前記警報発出部からの警報発出と前記ノイズ検出部によるノイズ検出とが同時に起こった場合、前記光モジュールをリセットするリセット部と、
を備えることを特徴とする光通信装置。
【請求項２】
前記ノイズ検出部は、前記電源ラインの電圧および／または電流を監視し、前記電源ラインの電圧および／または電流が所定の閾値以上または以下となったときに、前記電源ラインにノイズが生じた判定することを特徴とする請求項１に記載の光通信装置。
【請求項３】
前記リセット部は、前記警報発出部からの警報発出と前記ノイズ検出部によるノイズ検出とが同時に起り、且つ前記警報発出部からの警報が所定時間継続している場合、前記光モジュールをリセットすることを特徴とする請求項１または２に記載の光通信装置。
【請求項４】
前記リセット部は、前記光モジュールが光信号を正常に送受信している場合には、前記光モジュールのリセットを行わないことを特徴とする請求項１から３のいずれかに記載の光通信装置。
【発明の詳細な説明】
【技術分野】
【０００１】
本発明は、光モジュールを用いて構成される光通信装置に関する。
【背景技術】
【０００２】
近年、パソコンやスマートフォンの急速な普及による動画配信などのインターネットの拡大により、通信トラフィックが急激に増加しており、大容量の光ネットワークの実現と普及が望まれている。光ネットワークシステムの光通信装置は高速伝送を実現しており、これらの装置で使用される光モジュールは、ＳＦＰ(Small Form-Factor Pluggable)やＸＦＰ（10 Gigabit Small Form Factor Pluggable）とよばれる小型な光モジュールであり、それらは、国際規格により標準化され、各メーカーで開発・製造されている。
【０００３】
光通信装置を開発しているメーカーでは、自社製光モジュールだけでなく、他ベンダの国際標準規格のＳＦＰ／ＸＦＰを使用した装置も多く、今後、光モジュールは、高速化、小型化および高機能が求められていく。これらの光モジュールは、警報監視／送信制御／パフォーマンス等の情報を光通信装置内の制御部に伝達する必要があるため、光モジュール内部にＣＰＵ（Central Processing Unit）やＥＥＰＲＯＭ（Electrically Erasable Programmable Read-Only Memory）等の処理部が搭載された光モジュールが主流となっている。
【先行技術文献】
【特許文献】
【０００４】
【特許文献１】特開２０１３−１８７７１４号公報
【特許文献２】特開２０１４−１０７６７６号公報
【発明の概要】
【発明が解決しようとする課題】
【０００５】
上記のような光モジュールでは、外来ノイズ（雷、ＥＳＤ（Electro Static Discharge）、停電、電源電圧の急峻な変動など）により、光通信装置の電源ラインにノイズがのる場合がある。この場合、装置内の光モジュールの電源ラインにノイズが印加されることにより、光モジュール内部の処理部が異常となり、光モジュールから警報が発出されることがある。光モジュールから警報が発出された場合、通信回線が断となり、光ネットワークシステムに重大な障害が生じるおそれがある。
【０００６】
従来の光通信装置においては、光モジュールからの警報が光モジュール内の光送信部や光受信部の故障によるものなのか、ノイズによって生じた処理部の異常によるものなのか判別することはできなかった。そのため、光モジュールから警報が発出された場合には光モジュールを交換する復旧手段がとられており、通信回線の復旧に長時間を要していた。
【０００７】
本発明はこうした状況に鑑みてなされたものであり、その目的は、電源ラインのノイズにより光モジュールの処理部に異常が生じた場合に、該異常を早期に復旧することのできる光通信装置を提供することにある。
【課題を解決するための手段】
【０００８】
上記課題を解決するために、本発明のある態様の光通信装置は、光信号を送受信する光モジュールであって、当該光モジュールに異常が発生した場合に警報を発出する警報発出部を備える光モジュールと、光モジュールに接続された電源ラインと、電源ラインのノイズを検出するノイズ検出部と、警報発出部からの警報発出とノイズ検出部によるノイズ検出とが同時に起こった場合、光モジュールをリセットするリセット部とを備える。
【０００９】
なお、以上の構成要素の任意の組合せ、本発明の表現を装置、方法、システム、プログラム、プログラムを格納した記録媒体などの間で変換したものもまた、本発明の態様として有効である。
【発明の効果】
【００１０】
本発明によれば、電源ラインのノイズにより光モジュールの処理部に異常が生じた場合に、該異常を早期に復旧することのできる光通信装置を提供できる。
【図面の簡単な説明】
【００１１】
【図１】本発明の実施形態に係る光通信装置を示す図である。
【図２】リセット部の処理を説明するためのフローチャートである。
【発明を実施するための形態】
【００１２】
図１は、本発明の実施形態に係る光通信装置１０を示す図である。本明細書のブロック図において示される各ブロックは、ハードウェア的には、コンピュータのＣＰＵをはじめとする素子や機械装置で実現でき、ソフトウェア的にはコンピュータプログラム等によって実現されるが、ここでは、それらの連携によって実現される機能ブロックを描いている。したがって、これらの機能ブロックはハードウェア、ソフトウェアの組合せによっていろいろなかたちで実現できることは、当業者には理解されるところである。
【００１３】
図１に示すように、光通信装置１０は、光モジュール１２と、装置処理部１４と、電源部１６と、電源ライン１８と、ノイズ検出部２０と、リセット部２２と、電力遮断部２４とを備える。
【００１４】
光モジュール１２は、例えば、ＳＦＰやＸＦＰといった挿抜可能（プラガブル）な構造の光モジュールであってよい。光通信装置１０は、装置処理部１４からの電気信号を光信号に変換し、対向装置に送信する光送信部２６と、対向装置から受信した光信号を電気信号に変換して装置処理部１４に送る光受信部２８と、光モジュール処理部３０とを備える。光送信部２６は、ＥＡ（Electro Absorption）変調器を備えるものであってよく、例えばＳＦＰやＸＦＰモジュールにおけるＴＯＳＡ（Transmitter Optical Sub-Assembly）であってよい。光受信部２８は、例えばＳＦＰやＸＦＰモジュールにおけるＲＯＳＡ（Receiver Optical Sub-Assembly）であってよい。
【００１５】
光モジュール処理部３０は、例えばＣＰＵおよびＥＥＰＲＯＭから構成されてよい。光モジュール処理部３０は、例えばＩ２Ｃ通信により、光通信装置１０の装置処理部１４と制御情報を送受信可能である。
【００１６】
光モジュール処理部３０は、制御部３２と、警報発出部３４とを備える。制御部３２は、光通信装置１０の装置処理部１４と通信し、光モジュール１２内の各部、例えば光送信部２６および光受信部２８等の制御および監視を行う。警報発出部３４は、光モジュール１２に異常が発生した場合に、光通信装置１０の装置処理部１４に警報を発出する。光モジュール１２の異常には、光モジュール１２内の各部、例えば光送信部２６、光受信部２８の故障、対向装置との通信異常、光モジュール処理部３０の異常等が含まれる。
【００１７】
装置処理部１４は、例えばＡＳＩＣ（Application Specific Integrated Circuit）から構成されてよい。装置処理部１４は、光モジュール１２の光送信部２６に送る電気信号および光受信部２８から受信する電気信号の信号処理、光モジュール１２の光モジュール処理部３０と通信する制御情報の処理、および光モジュール１２の警報発出部３４から受信する警報の処理などを行う。
【００１８】
電源部１６は、外部電源から光通信装置１０に供給された電圧（例えば−４８Ｖ）を光モジュール１２に適した電圧（例えば３．３Ｖや５Ｖ）に変換するオンボード電源であってよい。電源部１６から出力された電圧は、光モジュール１２に接続された電源ライン１８を介して光モジュール１２に供給される。電源ライン１８は、光モジュール１２や電源部１６が実装される基板に形成される。光モジュール１２は、電源部１６から電力の供給を受けて動作する。
【００１９】
ノイズ検出部２０は、電源ライン１８のノイズを検出する。電源ライン１８のノイズとは、電源部１６からの出力に重畳された高調波成分である。ノイズ検出部２０は、電源ライン１８の電圧および／または電流を監視し、電源ライン１８の電圧および／または電流が所定の閾値以上または以下となったときに、電源ライン１８にノイズが生じたと判定してよい。ノイズ検出部２０は、例えばオペアンプを用いたピーク検出回路により構成されてよい。
【００２０】
電力遮断部２４は、電源部１６から光モジュール１２への電源ライン１８上に設けられている。電力遮断部２４は、リセット部２２からリセット信号を受けたとき、電源部１６から光モジュール１２への給電を瞬間的に遮断する。瞬間的な給電の遮断後、再度電源部１６から光モジュール１２への給電が開始される。
【００２１】
ノイズ検出部２０によるノイズ検出結果は、リセット部２２に送られる。また、警報発出部３４から装置処理部１４に警報が発出された場合、該警報の発出情報は、リセット部２２に送られる。リセット部２２は、警報発出部３４からの警報発出とノイズ検出部２０によるノイズ検出とが同時に起こった場合、電力遮断部２４にリセット信号を出力する。ここで、「同時」とは、警報発出とノイズ検出とが正確に同時に起こる場合だけでなく、警報発出とノイズ検出とが例えば数百ミリ秒以内に起こるなど、実質的に同時の場合も含む。
【００２２】
リセット部２２からのリセット信号を受けた電力遮断部２４は、光モジュール１２への給電を瞬間的に遮断する。光モジュール１２への給電が瞬間的に遮断された後再開されることにより、光モジュール１２の光モジュール処理部３０は強制的にリセットされ、再起動される。光モジュール処理部３０が再起動されることにより、光モジュール処理部３０を正常な状態に復旧させることができる。
【００２３】
警報発出とノイズ検出とが同時に起こった場合、電源ライン１８のノイズにより光モジュール１２の光モジュール処理部３０に異常が生じた可能性が高いと判断できる。そこで、この場合に光モジュール１２の光モジュール処理部３０をリセットして再起動することで、光モジュール１２の異常を早期に自動的に復旧することができる。
【００２４】
図２は、リセット部２２の処理を説明するためのフローチャートである。図２に示す処理フローは、所定の間隔で実施される。
【００２５】
リセット部２２は、警報発出部３４から警報が発出されたか否か判定する（Ｓ１０）。警報が発出されていない場合（Ｓ１０のＮ）、処理フローを終了する。
【００２６】
一方、警報が発出された場合（Ｓ１０のＹ）、ノイズ検出部２０で電源ライン１８のノイズが検出されたか否か判定する（Ｓ１２）。
【００２７】
ノイズが検出されていない場合（Ｓ１２のＮ）、処理フローを終了する。この場合は、光モジュール処理部３０がノイズにより異常となっている可能性は低いため、光モジュール１２を交換するなどして復旧を図る。
【００２８】
一方、ノイズが検出された場合（Ｓ１２のＹ）、警報発出とノイズ検出とが同時に起こったか否か判定する（Ｓ１４）。
【００２９】
警報発出とノイズ検出が同時でない場合（Ｓ１４のＮ）、処理フローを終了する。この場合も光モジュール処理部３０がノイズにより異常となっている可能性は低いため、光モジュール１２を交換するなどして復旧を図る。
【００３０】
一方、警報発出とノイズ検出が同時である場合（Ｓ１４のＹ）、電力遮断部２４にリセット信号を出力する（Ｓ１６）。これにより、電源部１６から光モジュール１２への給電が瞬間的に遮断されるため、光モジュール１２の光モジュール処理部３０が再起動され、光モジュール１２が自動的に復旧される。
【００３１】
上述の実施形態では、光モジュール１２への給電を瞬間的に遮断することで光モジュール１２の光モジュール処理部３０をリセットしたが、光モジュール１２のリセット方法はこれに限られず、例えば光モジュール処理部３０のリセット端子にリセット信号を出力することで光モジュール処理部３０をリセットしてもよい。
【００３２】
リセット部２２は、警報発出部３４からの警報発出とノイズ検出部２０によるノイズ検出とが同時に起り、且つ警報発出部３４からの警報が所定時間継続している場合に、光モジュール１２をリセットしてもよい。警報発出とノイズ検出とが同時に起こった場合でも、警報がすぐに消えた場合には光モジュール処理部３０の異常は解消されたと考えられる。そこで、警報発出とノイズ検出とが同時に起こり、且つ警報が所定時間継続している場合にのみ光モジュール１２をリセットすることで、不必要なリセットを回避して光通信装置１０を安定して動作させることができる。
【００３３】
リセット部３０は、光モジュール１２の光送信部２６と光受信部２８が光信号を正常に送受信している場合には、光モジュール１２のリセットを行わなくてもよい。警報発出部３４から警報が発生している場合でも、光信号が正常に疎通している場合には、光モジュール１２のリセットを行わないことで、不必要な通信回線の断を回避することができる。
【００３４】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【符号の説明】
【００３５】
１０  光通信装置、  １２  光モジュール、  １４  装置処理部、  １６  電源部、  １８  電源ライン、  ２０  ノイズ検出部、  ２２  リセット部、  ２４  電力遮断部、  ２６  光送信部、  ２８  光受信部、  ３０  光モジュール処理部、  ３２  制御部、  ３４  警報発出部。
【図１】
2016116064.tif 000003
【図２】
2016116064.tif 000004